(57)【特許請求の範囲】
【請求項１】
水中に群生する水草の相互に絡み合った枝に引掛具を引っ掛ける引掛工程と、  
前記引掛具に連結されたワイヤを巻き取ることによって、群生する前記水草を岸辺に引きずるようにして引き寄せる引寄工程と、
重量車両が備えるグラップルで前記水草を挟んで岸に引き揚げる引揚工程と、を含み、
前記引掛具は、枠部と、前記枠部の一辺に並列配列された複数の爪と、を備え、前記複数の爪の各々は前記枠部に対して鋭角状に延び、
前記引寄工程におけるワイヤの巻き取りは、ウインチを用いて前記岸から行うことを特徴とする水草除去方法。
【請求項２】
前記複数の爪は、前記枠部の前記一辺から一方向のみに延びており、前記複数の爪の各々の長さは３５ｃｍ〜５０ｃｍであることを特徴とする請求項１に記載の水草除去方法。
【請求項３】
前記水草が水底に根を張る比較的水深の浅い領域においては、前記引掛工程において前記水草のうち水底付近に伸びる枝に前記引掛具を引っ掛け、
前記水草が水底に根を張らない比較的水深の深い領域においては、前記引掛具に浮き具を取り付け、前記引掛工程においては前記水草のうち水面付近に伸びる枝に前記引掛具を引っ掛けることを特徴とする請求項１又は２に記載の水草除去方法。
【請求項４】
前記枠部は三角形であって、前記ワイヤは連結金具を介して前記枠体に連結され、前記連結金具の取付位置は、前記枠部の前記一辺の対角又はその近傍であることを特徴とする請求項１〜３の何れかに記載の水草除去方法。
【発明の詳細な説明】
【技術分野】
【０００１】
本発明は、湖沼等に生える水草を除去する水草除去方法に関する。
【背景技術】
【０００２】
近年、湖沼等において水草の異常繁殖が増加し、大きな問題となっている。例えば、琵琶湖においては特定外来水性植物であるオオバナミズキンバイと呼ばれる水草が湖面を覆い、船舶航行への障害、腐敗に伴う悪臭の発生、水質の悪化等、様々な問題が深刻化している。このオオバナミズキンバイは繁殖力が強く、ヨシ等の生態系への影響が懸念される他、毎年多額の費用をかけて駆除作業が行われているにも拘わらず、２００９年から２０１３年までの５年間で、その生息面積が約４００倍にも増加している。
【０００３】
従来における水草の除去方法では、専用の水草刈取機を用いて水草を刈り取り、刈り取った水草を運搬船に乗せて岸まで運び、重機を用いて岸に引き揚げる方法が一般的であった（例えば、特許文献１参照）。
【先行技術文献】
【特許文献】
【０００４】
【特許文献１】特開平７−１８４４４９号
【発明の概要】
【発明が解決しようとする課題】
【０００５】
水草を刈り取る従来の方法では、水草の断片が散らばってしまい、水草をきれいに取り除けないという問題があった。また、散らばった水草の断片から根が生えて別の場所に定着してしまい、返って水草の繁殖範囲を広げてしまうおそれがあった。更に、刈り取られた水草については、運搬船を何度も往復させて岸まで運ぶ必要があるため、時間も費用も嵩み、効率が悪かった。
【０００６】
本発明は、水草を刈り取ることなく効率的に水草を除去できる水草除去方法の提供を目的とする。
【課題を解決するための手段】
【０００７】
本発明の請求項１に係る水草除去方法は、水中に群生する水草の相互に絡み合った枝に引掛具を引っ掛ける引掛工程と、前記引掛具に連結されたワイヤを巻き取ることによって、群生する前記水草を岸辺に引きずるようにして引き寄せる引寄工程と、重量車両が備えるグラップルで前記水草を挟んで岸に引き揚げる引揚工程と、を含み、前記引掛具は、枠部と、前記枠部の一辺に並列配列された複数の爪と、を備え、前記複数の爪の各々は前記枠部に対して鋭角状に延び、前記引寄工程におけるワイヤの巻き取りは、ウインチを用いて前記岸から行うことを特徴とする。
【０００８】
本発明の請求項２に係る水草除去方法は、前記複数の爪は、前記枠部の前記一辺から一方向のみに延びており、前記複数の爪の各々の長さは３５ｃｍ〜５０ｃｍであることを特徴とする。
【０００９】
本発明の請求項３に係る水草除去方法は、前記水草が水底に根を張る比較的水深の浅い領域においては、前記引掛工程において前記水草のうち水底付近に伸びる枝に前記引掛具を引っ掛け、前記水草が水底に根を張らない比較的水深の深い領域においては、前記引掛具に浮き具を取り付け、前記引掛工程においては前記水草のうち水面付近に伸びる枝に前記引掛具を引っ掛けることを特徴とする。
【００１０】
本発明の請求項４に係る水草除去方法は、前記枠部は三角形であって、前記ワイヤは連結金具を介して前記枠体に連結され、前記連結金具の取付位置は、前記枠部の前記一辺の対角又はその近傍であることを特徴とする。
【発明の効果】
【００１１】
本発明に係る水草除去方法によれば、引掛具を水中に生える水草に引っ掛けて、引掛具に連結されたワイヤを巻き取ることによって、水草を岸辺に引き寄せることができるので、水草の刈り取り作業が不要となり、水草刈取機にかかるコストを削減することができる。また、水草を刈り取らないため、水草の断片を散乱させることがなく、水を汚さず、きれいに除去作業を行うことができると共に、水草の断片が散乱することによる水草の群生地の拡大といった問題を回避できる。また、ワイヤの巻き取りを岸から行うことにより、水草を運ぶための運搬船が不要となり、運搬船にかかるコストを削減することができる。また、ワイヤの巻き取りをウインチを用いて行うことにより、水草を効率良く引き寄せることができる。
【００１２】
また、引掛具の複数の爪の各々は、引掛具の本体部に対して鋭角状に延びるため、引掛具の爪を確実に水草に引っ掛けることができ、水草を引き寄せる過程において水草が引掛具から外れてしまうのを確実に防止することができる。
【００１３】
また、引掛具に浮き具を取り付ければ、引掛具が水底に沈んでしまうのを防止して、引掛具を水面付近に伸びる枝に確実に引っ掛けることができる。
【００１４】
また、引掛具を水底付近に伸びる枝に引っ掛ければ、水草を根元から効率良く除去することができる。
【図面の簡単な説明】
【００１５】
【図１】本発明の実施形態に係る水草除去方法にて用いられる引掛具を示す斜視図。
【図２】図１に示す引掛具をウインチ付き重量車両のワイヤに取り付けた状態を示す概略図。
【図３】図１に示す引掛具を水草に引っ掛けた状態を示す概略説明図。
【図４】図１に示す引掛具の異なる使用形態を示す斜視図。
【図５】図１に示す引掛具の更に異なる仕様形態を示す斜視図。
【発明を実施するための形態】
【００１６】
以下、添付図面を参照して、本発明の実施形態にかかる水草除去方法について説明する。ここでは水草として、湖等に育成する抽水植物の１種であるオオバナミズキンバイを例に説明する。抽水植物とは、水底に根をはり、茎の下部は水中にあるものの、茎や葉の一部が水面から出て生育する植物をいい、オオバナミズキンバイの場合には、多数の枝（走出枝）が相互に絡み合って群生している。
【００１７】
本実施形態にかかる水草除去方法では、図１に示す引掛具１を用いる。この引掛具１は、本体部２と、本体部２の先端に設けられた複数の爪３と、を備え、全体として熊手状に形成されている。本体部２は三角形状の枠部２１と、枠部２１を補強する複数の補強部２２と、を有して形成されている。複数の爪３は枠部２１の一辺２１ａに相互に間隔を空けて並列配置されており、枠部２１に対して鋭角状に延びている。このような引掛具１は、例えば鉄筋を加工して形成することができる。鉄筋を用いることにより軽量化が図られると共に、適度な強度を得ることができる。なお、各爪３の長さは、例えば３５ｃｍ〜５０ｃｍ程度とするのが好ましい。爪３の長さがこれよりも短いと爪３が水草９に十分に引っかからず効率が悪くなり、爪３の長さがこれよりも長くても効率は変わらない一方で引掛具１が必要以上に重くなり、取扱がし難くなるためである。
【００１８】
次に、この引掛具１を用いた水草除去方法について説明する。ここでは、図２に示すように、ウインチ５及びグラップル６を備えた重量車両４を用いる。まず、ウインチ５に巻かれたワイヤＷの先端に、シャックル等の連結金具７を用いて引掛具１を取り付ける。ワイヤＷ（連結金具７）の取付位置は、引掛具１の本体部２であって、爪３が設けられた枠部２１の一辺２１ａの対角２１ｂ又はその近傍とするのが好ましい。なお、本実施形態においては、対角２１ｂ近傍に設けられた補強部２２（図１に示す補強部２２ａ）にワイヤＷ（連結金具７）が取り付けられている。
【００１９】
次に、重量車両４を操作して引掛具１をボート８に乗せ、図３に示す様にオオバナミズキンバイ（以下、「水草」という。）９の群生地まで移動させる。そして、水草９の上に引掛具１を落とし、引掛具１の爪３を水草９に引っ掛ける（引掛工程）。その後、ウインチ５を回転させてワイヤＷを巻き取り、引掛具１を水草９ごと岸辺まで引き寄せる（引寄工程）。上述したように、水草９は多数の枝（走出枝）９１が相互に絡み合って群生していることから、引掛具１の爪３を水草９の枝９１に数カ所引っ掛けるだけで、群生する大量の水草９を引きずるようにして一気に岸辺まで移動させることができる。このようにして水草９を岸辺へ運んだ後、引掛具１を一端、ワイヤＷから取り外し、グラップル６で水草９を挟んで岸１０の上又は運搬車の荷台（図示せず）に引き揚げる（引揚工程）。
【００２０】
このように、本実施形態にかかる水草除去方法によれば、水草９を刈り取らないため、水草９の断片を散乱させることがなく、水草９の除去作業をきれいに行うことができる。また、大がかりな水草刈取機が不要となり、水草除去にかかるコストを大幅に削減することができる。更に、水草刈取機や運搬船を用いなくても、ウインチ５を用いて岸１０からワイヤＷを巻き取るだけで大量の水草９を一気に岸辺まで移動させることができるため、短時間に大量の水草９を除去することができ、効率的である。
【００２１】
なお、図３を参照して、水草９が水底Ｂに根９２を張らない比較的水深の深い領域Ｒ１にて水草９に引掛具１を引っ掛ける場合には、引掛具１の爪３を水面Ｓ付近にて水草９に引っ掛けるようにするのが好ましい。一方、水底Ｂに根９２を張る比較的水深の浅い領域Ｒ２においては、引掛具１の爪３を水底Ｂ付近にて水草９に引っ掛けるようにすることで、水草９を根元から効率良く引き寄せることができる。
【００２２】
ここで、比較的水深の深い領域Ｒ１においては、引掛具１が水底Ｂに沈んでしまうのを防ぐため、引掛具１に浮き具を取り付けるのが好ましい。
【００２３】
以上、本発明の実施形態に係る水草除去方法について添付の図面を参照して説明したが、本発明はかかる実施形態に限定されず、本発明の範囲を逸脱することなく種々の変形乃至修正が可能である。
【００２４】
例えば、上記実施形態においては水草９としてオオバナミズキンバイを例に説明したが、水草９はこれに限定されず、オオバナミズキンバイと同様に相互に枝が絡み合って生育するような水草であれば、本実施形態の水草除去方法を適用できる。
【００２５】
また、上記実施形態においては、単一の引掛具１にワイヤＷを連結したが、例えば、図４に示す様に、複数の引掛具１を鉄筋等で構成された連結具１１に取り外し可能に連結させ、この連結具１１にワイヤＷを連結させるようにしても良い。このように複数の引掛具１を用いることにより、一度の引き寄せ作業において、より広範囲の水草９を大量に引き寄せることができ、作業効率を向上させることができる。また、連結金具７ａを用いて引掛具１を連結具１１に取り外し可能とすることによって、取扱を容易にできると共に、小さなボート８にも乗せやすくなる。なお、複数の引掛具１をワイヤＷに連結させる連結手段としては、図４に示すような連結具１１に限定されず、例えば、図５に示すように、複数の引掛具１の各々に取り外し可能に連結された複数のワイヤＷａから構成しても良い。また、これらのワイヤＷａについては、複数の連結金具７ｂを用いてワイヤＷの先端に設けられた連結金具７に取り外し可能に連結させればよい。
【００２６】
更に、上記実施形態においては、引掛具１の本体部２が三角形状の枠部２１を備えて構成されているが、枠部２１の形状は三角形に限定されず、例えば台形や四角形等、他の形状であっても良い。
【符号の説明】
【００２７】
１  引掛具
２  本体部
３  爪
４  重量車両
５  ウインチ
６  グラップル
８  ボート
９  水草
１１  連結具
Ｗ  ワイヤ
【図１】
0006316180.tif 000002
【図２】
0006316180.tif 000003
【図３】
0006316180.tif 000004
【図４】
0006316180.tif 000005
【図５】
0006316180.tif 000006